(57)【要約】      （修正有）【課題】ラップトップコンピュータ及びデスクトップコンピュータが非活動状態の時、機能に応じた低電力化を実現すること。【解決手段】１つの主プロセッサと、１つの主メモリと、主プロセッサ及び主メモリと通信する１つの主入出力（Ｉ／Ｏ）インターフェースと、１つの主ディスプレイを備える１つのコンピュータにおいて、主プロセッサ、主メモリ、及び主ディスプレイは、活動状態モード及び非活動状態モードで動作させられ、前記非活動状態モードである時に前記コンピュータの電源が切断される。１つの副プロセッサの消費電力は主プロセッサより少ない。１つの副ディスプレイは副プロセッサと通信する。コンピュータが前記非活動状態モードである時に、前記副プロセッサ及び前記副ディスプレイの電源が投入される。コンピュータが前記非活動状態モードである時に副プロセッサ及び副ディスプレイがＰＤＡ様の機能を支援する。【選択図】図３Ａ
2005228327.tif 000002
【特許請求の範囲】
【請求項１】
１つのコンピュータであって、
１つの主プロセッサと、
主メモリと、
前記主プロセッサ及び前記主メモリと通信する１つの主入出力（Ｉ／Ｏ）インターフェースと、
前記主Ｉ／Ｏインターフェースと通信する１つの主ディスプレイであって、前記主プロセッサ、前記主メモリ、及び前記主ディスプレイが、活動状態モード及び非活動状態モードで動作させられ、前記非活動状態モードである時に前記コンピュータの電源が切断される主ディスプレイと、
前記主プロセッサより少ない電力を消費する１つの副プロセッサと、
前記副プロセッサと通信する１つの副ディスプレイと
を備え、
前記コンピュータが前記非活動状態モードである時に、前記副プロセッサ及び前記副ディスプレイの電源が投入される、
コンピュータ。
【請求項２】
前記コンピュータが、前記副プロセッサと通信する１つの副メモリを更に備え、前記コンピュータが前記非活動状態モードである時に電源が投入され、前記主メモリより小さい１つの記憶容量を有する、請求項１に記載のコンピュータ。
【請求項３】
前記副プロセッサ及び前記副ディスプレイが、前記コンピュータが前記非活動状態モードである時にテキスト送信、電子メール配信、有価証券相場検索及びホットゾーン識別のうちの少なくとも１つを支援する、請求項１に記載のコンピュータ。
【請求項４】
前記コンピュータが１つのラップトップであり、前記副ディスプレイが前記ラップトップの１つの外面に統合されている、請求項１に記載のコンピュータ。
【請求項５】
前記コンピュータが前記主Ｉ／Ｏインターフェースと通信する１つのディスクドライブ・システムを更に備え、前記副プロセッサ及び前記副メモリが前記ディスクドライブ・システムと統合されている、請求項１に記載のコンピュータ。
【請求項６】
前記コンピュータが前記主Ｉ／Ｏインターフェースと通信する１つの無線ネットワーク・インターフェースを更に備え、前記副プロセッサ及び前記副メモリが前記無線ネットワーク・インターフェースと統合されている、請求項１に記載のコンピュータ。
【請求項７】
前記副プロセッサと通信する１つの副Ｉ／Ｏ装置を更に備える、請求項１に記載のコンピュータ。
【請求項８】
前記副ディスプレイがタッチパッド動作を支援する、請求項１に記載のコンピュータ。
【請求項９】
前記コンピュータが１つの格納装置を含む１つのデスクトップコンピュータであり、前記副ディスプレイが前記格納装置と統合されている、請求項１に記載のコンピュータ。
【請求項１０】
請求項１のコンピュータを備える１つのシステムであって、前記システムが、
前記副プロセッサと通信する１つの無線ネットワーク・インターフェースと、
前記無線ネットワーク・インターフェースと通信する１つの分散型通信システムと、
前記分散型通信システムと通信する１つのサーバーと、
前記副プロセッサにより実行され、複数の電子メール・メッセージ及び有価証券データのうちの少なくとも一方を前記サーバーから引き出す１つのエージェント・モジュールと
を更に備える、システム。
【請求項１１】
前記副プロセッサにより実行され、前記コンピュータが１つのホットゾーン内にある時を識別し、前記ホットゾーンの１つの視覚表示を前記副ディスプレイ上に提供する１つのホットゾーン・モジュールを更に備える、請求項１に記載のコンピュータ。
【請求項１２】
前記副プロセッサ及び前記副ディスプレイがＰＤＡ様の機能を支援する、請求項１に記載のコンピュータ。
【請求項１３】
前記コンピュータが１つのキーボードを含む１つのラップトップであり、前記副ディスプレイが前記ラップトップの内側に前記キーボードに隣接して配置されている、請求項１に記載のコンピュータ。
【請求項１４】
前記非活動状態モード時に前記主Ｉ／Ｏインターフェースの電源が切断される、請求項１に記載のコンピュータ。
【請求項１５】
前記非活動状態モード時に前記主Ｉ／Ｏインターフェースの電源が投入される、請求項１に記載のコンピュータ。
【請求項１６】
前記コンピュータが１つのキーボードと１つのマウスとを含んでおり、前記非活動状態モード時に前記主Ｉ／Ｏインターフェースと前記キーボードと前記マウスとに電源が投入される、請求項１に記載のコンピュータ。
【請求項１７】
活動状態モード及び非活動状態モードを有する１つのコンピュータであって、
１つの副プロセッサと、
前記副プロセッサと通信する１つの副ディスプレイと
を備え、
前記副プロセッサ及び前記副ディスプレイが、前記コンピュータが前記非活動状態モードである間には給電され、前記コンピュータが前記非活動状態モードである間はテキスト送信、電子メール配信、有価証券相場検索及びホットゾーン識別のうちの少なくとも１つを支援する、
コンピュータ。
【請求項１８】
前記副プロセッサと通信し、前記コンピュータが前記非活動状態モードである時に給電される１つの副メモリを更に備える、請求項１７に記載のコンピュータ。
【請求項１９】
前記コンピュータが、
１つの主プロセッサと、
１つの主メモリと、
前記主プロセッサ及び前記主メモリと通信する１つの主Ｉ／Ｏインターフェースと、
前記主Ｉ／Ｏインターフェースと通信する１つの主ディスプレイと
を更に備え、
前記主プロセッサ、前記主メモリ、及び前記主ディスプレイが、活動状態モード及び非活動状態モードで動作させられて、前記コンピュータが前記非活動状態モードである時には電源が切断される、
請求項１７に記載のコンピュータ。
【請求項２０】
前記副プロセッサが前記主プロセッサより少ない電力を消費する、請求項１９に記載のコンピュータ。
【請求項２１】
前記副プロセッサと通信し、前記コンピュータが前記非活動状態モードである時に給電され、前記主メモリよりは少ない１つの記憶容量を有する１つの副メモリを更に備える、請求項１９に記載のコンピュータ。
【請求項２２】
前記コンピュータが１つのラップトップであり、前記副ディスプレイが前記ラップトップの１つの外面に統合されている、請求項１７に記載のコンピュータ。
【請求項２３】
前記主Ｉ／Ｏインターフェースと通信する１つのディスクドライブ・システムを更に備え、前記副プロセッサが前記ディスクドライブ・システムに統合されている、請求項１９に記載のコンピュータ。
【請求項２４】
前記コンピュータが前記主Ｉ／Ｏインターフェースと通信する１つの無線ネットワーク・インターフェースを更に備え、前記副プロセッサが前記無線ネットワーク・インターフェースに統合されている、請求項１９に記載のコンピュータ。
【請求項２５】
前記副プロセッサと通信する１つの副Ｉ／Ｏ装置を更に備える、請求項１７に記載のコンピュータ。
【請求項２６】
前記副ディスプレイがタッチパッド動作を支援する、請求項１７に記載のコンピュータ。
【請求項２７】
前記コンピュータが１つの格納装置を含む１つのデスクトップコンピュータであり、前記副ディスプレイが前記格納装置に統合されている、請求項１７に記載のコンピュータ。
【請求項２８】
請求項１７に記載のコンピュータを含む１つのシステムであって、
前記副プロセッサと通信する１つの無線ネットワーク・インターフェースと、
前記無線ネットワーク・インターフェースと通信する１つの分散型通信システムと、
前記分散型通信システムと通信する１つのサーバーと、
前記副プロセッサにより実行され、複数の電子メール・メッセージ及び有価証券データのうちの少なくとも一方を前記サーバーから引き出す１つのエージェント・モジュールと
を更に備える、システム。
【請求項２９】
前記副プロセッサにより実行され、前記コンピュータが１つのホットゾーン内にある時を識別し、前記ホットゾーンの１つの視覚的表示を前記副ディスプレイ上に提供する１つのホットゾーン・モジュールを更に備える、請求項１９に記載のコンピュータ。
【請求項３０】
前記副プロセッサ及び前記副ディスプレイがＰＤＡ様の機能を支援する、請求項１７に記載のコンピュータ。
【請求項３１】
前記コンピュータが１つのキーボードを含む１つのラップトップであり、前記副ディスプレイが前記ラップトップの内側に前記キーボードに隣接して配置されている、請求項１７に記載のコンピュータ。
【請求項３２】
前記非活動状態モード時に、前記主Ｉ／Ｏインターフェースの電源が切断される、請求項１９に記載のコンピュータ。
【請求項３３】
前記非活動状態モード時に、前記主Ｉ／Ｏインターフェースの電源が投入される、請求項１９に記載のコンピュータ。
【請求項３４】
前記コンピュータが１つのキーボードと１つのマウスとを含んでおり、前記非活動状態モード時に前記主Ｉ／Ｏインターフェース、前記キーボード及び前記マウスに電源が投入される、請求項１９に記載のコンピュータ。
【発明の詳細な説明】
【技術分野】
【０００１】
本発明は、ラップトップコンピュータ及びデスクトップコンピュータのアーキテクチャに関し、より詳細には、ラップトップコンピュータ及びデスクトップコンピュータが非活動状態である時に減少した機能性を提供するための低電力副プロセッサ及び副ディスプレイを有するラップトップコンピュータ及びデスクトップコンピュータのアーキテクチャに関する。
【背景技術】
【０００２】
図１を参照すると、１つのラップトップコンピュータ或いはデスクトップコンピュータ１０の１つの典型的なコンピュータ・アーキテクチャが示されている。コンピュータ１０は、１つ以上の周辺装置１３と通信する入出力（Ｉ／Ｏ）インターフェース１２を含む。
メモリ１６は、データを記憶するものであって、ランダムアクセスメモリ（ＲＡＭ）、読み出し専用メモリ（ＲＯＭ）、フラッシュメモリ、及び／又は他の任意のタイプの電子データ記憶装置を含む。メモリ１６は、１つのプロセッサ、メモリ及びグラフィックス・ハブ１８と通信する。ハブ１８は、Ｉ／Ｏインターフェース１２と通信する。１つのプロセッサ２０も、該プロセッサ、メモリ及びグラフィックス・ハブ１８と通信し、データ処理、計算、及びその他の複数のタスクを実行する。グラフィックス処理を速めるために１つのグラフィックス・カード及び／又はチップ２４を設ける事が出来る。幾つかの適用例において、該プロセッサ、メモリ及びグラフィックス・ハブ１８及び／又はグラフィックス・カード及び／又はチップ２４は省略され、且つ／又は他のコンポーネントと統合される。
【０００３】
コンピュータ１０は更に１つのディスプレイ３０を含み、これは通常はカラーディスプレイである。１つのディスクドライブ・システム３４は、通常は、データを記憶する１つの磁気記憶媒体を含む。ディスクドライブ・システム３４は、１つのハードディスク・コントローラ（ＨＤＣ）、１つの埋め込み型プロセッサ、及び／又は他のコンポーネント（図示されていない）を含む事が出来る。１つのキーボード、１つのマウス、１つのタッチパッド、１つのスクラッチパッド及び／又は他の複数のポインティング装置及び／又は入力装置などの１つ以上の入出力（Ｉ／Ｏ）装置３６は、データ入力、ナビゲーション及び／又はコンピュータとのユーザの対話を容易にする。１つの無線ネットワーク・インターフェース３８は、１つのワイドエリアネットワーク、１つのローカルエリアネットワーク、ＣＤＭＡ、ＧＳＭ、ＧＳＭ３Ｇ、ＧＰＲＳシステム又は他の複数のセルラーネットワークなどの１つのネットワーク、１つのブルートゥース・ネットワーク、又は他の任意の無線ネットワーク・タイプなどの１つの無線ネットワークとの無線接続を可能にする。例えば、無線ネットワーク・インターフェース３８は、ＩＥＥＥセクション８０２．１１、８０２．１１ａ、８０２．１１ｂ、８０２．１１ｇ、及び／又は８０２．１６に従って良い。
【０００４】
図２を参照すると、一人のラップトップ・ユーザが１つのラップトップ５０を持って移動する時、ラップトップ５０はホットゾーン５４−１及び５４−２（まとめて複数のホットゾーン５４）を通過するであろう。複数のアクセス・ポイント５６−１及び５６−２（まとめて複数のアクセス・ポイント５６）は、それぞれ、複数のホットゾーン５４−１及び５４−２においてインターネット等の１つの分散型通信システム５８との無線ネットワーク接続を提供する。同様に、ホームゾーン６０は、分散型通信システム５８への無線アクセスを提供するアクセス・ポイント６２を含むであろう。
【発明の開示】
【発明が解決しようとする課題】
【０００５】
ラップトップ５０がオンにされてブートアップされなければ、ユーザは、自分が１つのホットゾーン５４に入っているのか判断する事が出来ない。ラップトップ５０をブートアップして１つのホットゾーン５４が利用可能であるか否か判断するのは時間のかかるプロセスである。同様に、ラップトップのユーザが電子メールをチェックしたり、複数の有価証券相場（ｓｅｃｕｒｉｔｉｅｓ  ｑｕｏｔｅｓ）をチェックしたり、複数の有価証券を売買したり且つ／又は他のインターネット・サービスを使用したりすることを望むときには、ラップトップのユーザはラップトップ５０をブートアップしなければならない。
【課題を解決するための手段】
【０００６】
本発明の１つのコンピュータは、１つの主プロセッサと、１つの主メモリと、その主プロセッサ及び主メモリと通信する１つの主入出力（Ｉ／Ｏ）インターフェースとを含む。１つの主ディスプレイは主Ｉ／Ｏインターフェースと通信する。主プロセッサ、主メモリ、及び主ディスプレイは活動状態モード及び非活動状態モードで動作させられ、該コンピュータが非活動状態モードである時には電源が切断される。１つの副プロセッサは、主プロセッサより少ない電力を消費する。１つの副ディスプレイは副プロセッサと通信する。副プロセッサと副ディスプレイとは、該コンピュータが非活動状態である時に電源が投入される。
【０００７】
他の複数の特徴では、１つの副メモリは、副プロセッサと通信し、該コンピュータが非活動状態モードである時に電源が投入され、主メモリより少ない記憶容量を有する。副プロセッサと副ディスプレイとは、該コンピュータが非活動状態モードである時にパーソナルデジタルアシスタント様の複数の機能を支援する。該コンピュータは１つのラップトップであり、副ディスプレイは該ラップトップの１つの外面に統合される。
【０００８】
他の複数の特徴では、１つのディスクドライブ・システムは主Ｉ／Ｏインターフェースと通信する。副プロセッサと副メモリとは該ディスクドライブ・システムと統合される。
【０００９】
更に他の特徴では、１つの無線ネットワーク・インターフェースは主Ｉ／Ｏインターフェースと通信する。副プロセッサと副メモリとは無線ネットワーク・インターフェースと統合される。１つの副Ｉ／Ｏ装置は副プロセッサと通信する。副ディスプレイはタッチパッド操作を支援する。該コンピュータは、１つの格納装置を含むデスクトップコンピュータである。副ディスプレイは、該格納装置と統合される。
【００１０】
他の複数の特徴では、１つのシステムは、該コンピュータを含むとともに、副プロセッサと通信する無線ネットワーク・インターフェースを更に含む。１つの分散型通信システムは該無線ネットワーク・インターフェースと通信する。１つのサーバーは分散型通信システムと通信する。１つのエージェント・モジュールは、副プロセッサにより実行されて、複数の電子メール・メッセージ及び有価証券データのうちの少なくとも一方をサーバーから引き出す。
【００１１】
更に他の特徴では、１つのホットゾーン・モジュールは、副プロセッサにより実行され、該コンピュータが１つのホットゾーン内にある時を識別し、そのホットゾーンの視覚的表示を副ディスプレイ上に提示する。
【００１２】
本発明の１つのコンピュータは、活動状態モード及び非活動状態モードを有し、１つの副プロセッサと、この副プロセッサと通信する１つの副ディスプレイとを含む。該副プロセッサと副ディスプレイとは、該コンピュータが非活動状態モードである時に給電され、該コンピュータが非活動状態モードである時にパーソナルデジタルアシスタント様の複数の機能を支援する。
【００１３】
他の複数の特徴では、１つの副メモリは副プロセッサと通信し、該コンピュータが非活動状態モードである時に給電される。
【００１４】
本発明の更なる応用分野が以下の詳細な記述から明らかになるであろう。詳細な記述と具体的な例とは、本発明の好ましい実施形態を示しているが、単に例証を目的としているだけであって本発明の範囲を限定しようとするものではないことが理解されるべきである。
【発明を実施するための最良の形態】
【００１５】
本発明は、詳細な記述と添付図面とからいっそう十分に理解されるであろう。
【００１６】
好ましい実施形態についての以下の説明は、単に例証的なものであって、本発明、その応用、及び使用方法を限定することを意図していない。明瞭性を保つために、図面においては同様の要素を特定するために同じ参照数字が使われる。本願明細書で使用される時、モジュール、エージェント及び／又は装置という用語は、１つのアプリケーション専用集積回路（ＡＳＩＣ）、１つの電子回路、１つのソフトウェア又はファームウェア・プログラム、１つ以上のソフトウェア又はファームウェア・プログラムを実行する１つの（共有される、専用される、又はグループ）プロセッサ及びメモリ、１つの組み合わせ論理回路、又は、記載されている機能を提供する他の複数の適切なコンポーネントをさす。
【００１７】
本発明は、複数のラップトップコンピュータ及びデスクトップコンピュータにおいて１つの副ディスプレイを動作させるための１つの低電力副プロセッサを含む１つの新規なコンピュータ・アーキテクチャを提供する。副プロセッサは、コンピュータが非活動状態モードである時に、非常に少ない電力を消費し、たとえばテキストを送ったり、電子メールを送ったり、有価証券相場検索及び／又は取引を行ったり、ホットゾーン識別を行ったり、電子メール通知を行うなどの、機能を低減した１セットのパーソナルデジタルアシスタント様の複数のサービスを支援する。低電力副プロセッサ及び副ディスプレイは、コンピュータが非活動状態モードである時に動作させられる。本願明細書で使用される時、非活動状態モードという用語は、低電力冬眠モード、オフ・モード、及び／又は、活動状態モードにおいてラップトップコンピュータ及びデスクトップコンピュータの主プロセッサ及び主ディスプレイにより通常実行される複雑な処理及びグラフィックスを支援するのに十分な電力を提供しない他の複数のモードをさす。
【００１８】
図３Ａを参照すると、図１に関して上に記載された複数の主要なコンポーネントに加えて、本発明による１つのコンピュータ・アーキテクチャ１００−１は、１つの低電力副プロセッサ１０２と副メモリ１０４とを更に含んでいる。低電力副プロセッサ１０２と副メモリ１０４とは、１つの副入出力インターフェース１０８と通信する。副メモリ１０４は、ＲＡＭ、ＲＯＭ、フラッシュ、及び／又はその他のタイプの電子データ記憶装置を含む。主メモリ１６の一部又は全部は副メモリ１０４の代わりに且つ／又はこれに加えて使用され得るものであることが理解され得るであろう。
【００１９】
１つの副ディスプレイ１１０は、Ｉ／Ｏインターフェース１０８と通信し、テキスト、アイコン及びその他の低解像度グラフィックスの表示などの単純なグラフィックスを支援する。好ましい実施形態では、副ディスプレイ１１０は好ましくは１つのモノクロ液晶ディスプレイ（ＬＣＤ）を含むが、１つのカラーＬＣＤ又はその他のディスプレイ・タイプを使用しても良い。副ディスプレイ１１０は、タッチスクリーン機能を支援しても良い。
或いは、複数のボタン、タッチパッド、スクラッチパッド、ポインティング装置などの１つ以上の副入出力装置１１２を設けても良い。
【００２０】
図３Ａに示されているコンピュータ・アーキテクチャ１００−１では、低電力副プロセッサ１０２、副メモリ１０４、及び副Ｉ／Ｏインターフェース１０８は、１つの無線ネットワーク・インターフェース１２０と統合され／埋め込まれる。無線ネットワーク・インターフェース１２０は、１つのワイドエリアネットワーク、１つのローカルエリアネットワーク、ＣＤＭＡ、ＧＳＭ、ＧＳＭ３Ｇ、ＧＰＲＳシステム或いはその他の複数のセルラーネットワークなどの１つのセルラーネットワーク、１つのブルートゥース・ネットワーク、又は他の任意の無線ネットワーク・タイプなどの１つの無線ネットワークを支援する。例えば、無線ネットワーク・インターフェース３８は、ＩＥＥＥセクション８０２．１１、８０２．１１ａ、８０２．１１ｂ、８０２．１１ｇ、及び／又は８０２．１６に従って良く、これらは参照によりその全体が本願明細書に取り入れられる。換言すれば、副プロセッサ１０２は、コンピュータが非活動状態モードである時に動作可能にされる上記の機能に加えて無線ネットワーク機能も支援する。或いは、無線ネットワーク・インターフェース１２０は、副プロセッサ１０２に加えて、無線ネットワーク機能を支援する他のプロセッサを含んでも良い。図３Ｂに示されているコンピュータ・アーキテクチャ１００−２では、低電力副プロセッサ１０２と、副メモリ１０４と、副Ｉ／Ｏインターフェース１０８とは、１つのディスクドライブ・システム１３０の（ハードディスク・ドライブ（ＨＤＤ）及び読み出しチャネルを含む）１つのシステム・オン・チップ（ＳＯＣ）と統合され／埋め込まれる。換言すれば、副プロセッサ１０２は、コンピュータが非活動状態モードである時に動作可能にされる上記の他の機能に加えてディスクドライブ機能も支援する。或いは、ディスクドライブ・システム１３０は、副プロセッサ１０２に加えて専用プロセッサを持っていても良い。
【００２１】
図３Ｃに示されているコンピュータ・アーキテクチャ１００−３では、低電力副プロセッサ１０２、メモリ１０４、及びインターフェース１０８は他のシステム・コンポーネントに埋め込まれるなどの方法で他のシステム・コンポーネントと統合されてはいない。
【００２２】
図３Ａに示されているコンピュータ・アーキテクチャ１００−１では、主メモリ１６、主プロセッサ２０、グラフィックス２４、ハブ１８、及び主ディスプレイ３０は非活動状態モードである。無線ネットワーク・インターフェース１２０、低電力副プロセッサ１０２、副メモリ１０４、副Ｉ／Ｏインターフェース１０８、副ディスプレイ１１０、及び副Ｉ／Ｏ装置１１２は、給電されて、所望の減少された機能を支援する。Ｉ／Ｏインターフェース１２は、（図示のように）非活動状態であっても良いし活動状態であっても良い。ディスクドライブ・システム３４は、必要に応じて給電されてデータを蓄積したり検索したりしても良く、或いは非活動状態モード時には給電されなくても良い。非活動状態モード時にディスクドライブ・システム３４が給電されないのであれば、副メモリ１０４は所望の減少された機能を支援するために十分な１つのサイズを持つべきである。
【００２３】
図３Ｂに示されているコンピュータ・アーキテクチャ１００−２では、主メモリ１６、主プロセッサ２０、グラフィックス２４、ハブ１８、及び主ディスプレイ３０は非活動状態である。無線ネットワーク・インターフェース１２０、低電力副プロセッサ１０２、副メモリ１０４、副Ｉ／Ｏインターフェース１０８、副ディスプレイ１１０、ディスクドライブ・システム３４及び副Ｉ／Ｏ装置１１２は、給電されて所望の減少した機能を支援する。Ｉ／Ｏインターフェース１２は、（図示のように）非活動状態であるか或いは活動状態であって良い。
【００２４】
図３Ｃに示されているコンピュータ・アーキテクチャ１００−３では、主メモリ１６、主プロセッサ２０、グラフィックス２４、ハブ１８、及び主ディスプレイ３０は非活動状態である。無線ネットワーク・インターフェース１２０、低電力副プロセッサ１０２、副メモリ１０４、副Ｉ／Ｏインターフェース１０８、副ディスプレイ１１０、及び複数の副Ｉ／Ｏ装置１１２は給電されて所望の減少した機能を支援する。Ｉ／Ｏインターフェース１２は、（図示のように）非活動状態であるか或いは活動状態であって良い。ディスクドライブ・システム３４は、必要に応じて給電されてデータを蓄積したり検索したりしても良く、或いは非活動状態モード時には給電されなくても良い。ディスクドライブ・システム３４が非活動状態モード時に給電されないならば、副メモリ１０４は所望の減少した機能を支援するために十分な１つのサイズを有するべきである。
【００２５】
コンピュータ・アーキテクチャ１００の複数の低電力副プロセッサ１０２は、複数の副ディスプレイ１１０を駆動するために十分な処理能力を有する。複数の副プロセッサ１０２は、副Ｉ／Ｏ装置１１２を介する入力イベント及び出力イベントも処理する。副プロセッサ１０２は複数のホットゾーン検出（ＨＺＤ）モジュール１９０（例えば、図３Ｂに示されている）も実行する事が好ましく、このモジュール１９０は、ホットゾーンを感知し、該ホットゾーンについてユーザに知らせるために１つのアイコン、テキスト或いはその他の視覚メッセージを副ディスプレイ１１０上に生じさせる。複数の副プロセッサ１０２は、（例えば、図３Ｂに示されている）複数のエージェント・モジュール１９４も実行する事が出来、該モジュール１９４は、分散型通信システムに関連している複数のサーバーにアクセスして複数の有価証券相場、電子メールなどを引き出す。複数のエージェント・モジュール１９４は、引き出された情報を用いて複数のスクローリング・バナー、複数のアイコン、テキスト或いはその他の複数の視覚メッセージを副ディスプレイ１１０上に生じさせることもできる。ユーザは、複数の電子メールを検索して応答したり、複数の有価証券相場を検索したり、複数の有価証券取引を実行したり、且つ／又は他の複数の類似タスクを実行したりするなどのパーソナルデジタルアシスタント様の（ＰＤＡ様の）複数のタスクを実行するために複数のＩ／Ｏ装置１１２及び／又はタッチパッドを使用することもできる。
【００２６】
図４Ａを参照すると、非活動状態モード時に図３Ａに示されているように１つの副Ｉ／Ｏインターフェース１０８を用いる代わりに、コンピュータ・アーキテクチャ１１０−４は非活動状態モード時に主Ｉ／Ｏインターフェース１２を使用する。非活動状態モードに移行する時、主Ｉ／Ｏインターフェース１２は、複数の副機能を支援しえるように、完全に又は少なくとも部分的に給電された状態にとどまる。副ディスプレイ１１０と複数の副Ｉ／Ｏ装置１１２とは、主Ｉ／Ｏインターフェース１２を通して、無線ネットワーク・インターフェース１２０に統合され／埋め込まれた低電力副プロセッサ１０２及びメモリ１０４と通信する。ディスクドライブ３４及び／又は複数のＩ／Ｏ装置３６は、非活動状態モード時にも給電されて主Ｉ／Ｏインターフェース１２を通して低電力副プロセッサ１０２及びメモリ１０４と通信する事が出来る。複数の主Ｉ／Ｏ装置３６が給電されるならば、複数の副Ｉ／Ｏ装置１１２は随意に省略されても良い。例えば、非活動状態モード時にはユーザ対話のために１つの主キーボード、マウス及び／又は他の主Ｉ／Ｏ装置を使用しても良い。
【００２７】
図４Ｂを参照すると、非活動状態モード時に図３Ｂに示されているように１つの副Ｉ／Ｏインターフェース１０８を使う代わりに、コンピュータ・アーキテクチャ１１０−５は非活動状態モード時に主Ｉ／Ｏインターフェース１２を使用する。非活動状態モードに移行する時、主Ｉ／Ｏインターフェース１２は、複数の副機能を支援しえるように、完全に或いは少なくとも部分的に給電される状態にとどまる。副ディスプレイ１１０と複数の副Ｉ／Ｏ装置１１２とは、主Ｉ／Ｏインターフェース１２を通して、ディスクドライブ１３０に統合され／埋め込まれた低電力副プロセッサ１０２及びメモリ１０４と通信する。無線ネットワーク・インターフェース３８及び／又は複数のＩ／Ｏ装置３６は、非活動状態モード時にも給電されてもよく、また主Ｉ／Ｏインターフェース１２を通して低電力副プロセッサ１０２及びメモリ１０４と通信する事が出来る。複数の主Ｉ／Ｏ装置３６が給電されるならば、複数の副Ｉ／Ｏ装置１１２は随意に省略されても良い。例えば、非活動状態モード時にはユーザ対話のために主キーボード、マウス及び／又は他の主Ｉ／Ｏ装置を使用しても良い。
【００２８】
図４Ｃを参照すると、非活動状態モード時に図３Ｃに示されているように１つの副Ｉ／Ｏインターフェース１０８を使う代わりに、コンピュータ・アーキテクチャ１１０−６は非活動状態モード時に主Ｉ／Ｏインターフェース１２を使用する。非活動状態モードに移行する時に、主Ｉ／Ｏインターフェース１２は、複数の副機能を支援しえるように、完全にあるいは少なくとも部分的に給電される状態にとどまる。副ディスプレイ１１０及び副Ｉ／Ｏ装置１１２は、主Ｉ／Ｏインターフェース１２を通して低電力副プロセッサ１０２及びメモリ１０４と通信する。ディスクドライブ３４、無線ネットワーク・インターフェース３８及び／又は複数のＩ／Ｏ装置３６は、非活動状態モード時にも給電されて主Ｉ／Ｏインターフェース１２を通して低電力副プロセッサ１０２及びメモリ１０４と通信する事が出来る。複数の主Ｉ／Ｏ装置３６が給電されるならば、複数の副Ｉ／Ｏ装置１１２は随意に省略されても良い。例えば、非活動状態モード時にはユーザ対話のために主キーボード、マウス及び／又は他の主Ｉ／Ｏ装置を使用しても良い。
【００２９】
図５Ａ、５Ｂ及び５Ｃを参照すると、本発明による１つのラップトップコンピュータ１６０は副ディスプレイ１１０を含む。例えば、副ディスプレイ１１０はラップトップコンピュータ１６０の１つの上側１６６に配置され得る。副ディスプレイ１１０が複数の前端、ラップトップコンピュータ内のキーボードに隣接する位置、或いは他の任意の適切な場所を含む（これらに限定はされない）ラップトップ１６０上の他の多くの場所に配置されても良いことを当業者は理解するであろう。図５Ｂを参照すると、複数のボタン、１つのスクラッチパッド、１つのポインティング装置、１つのキーボード、１つのミニ・キーパッド、１つの電話及び／又は他の複数の装置と同様の１つのテンキーパッドなどの（これらに限定はされない）複数の副Ｉ／Ｏ装置（図示せず）を設ける事が出来る。複数の副Ｉ／Ｏ装置は、副ディスプレイ１１０に隣接して配置されている。図５Ｃにおいては、副ディスプレイ１１０はラップトップの内側のキーボード３２に隣接して配置されている。他の複数の場所もすぐに明らかになるであろう。
【００３０】
図６Ａ及び６Ｂを参照すると、１つのデスクトップコンピュータ２００は副ディスプレイ１１０を含んでおり、これは図示のように１つのコンピュータ格納装置２０４と統合されても良い。副ディスプレイ１１０のための適切な場所が格納装置２０４、キーボード（又は他のＩ／Ｏ装置）及び／又はモニター２０６上にいろいろあることを当業者は理解するであろう。図６Ｂでは、副ディスプレイ１１０は、１つの周辺装置としてデスクトップコンピュータ２００に接続されている。副ディスプレイ１１０は１つの周辺装置として１つのラップトップコンピュータに接続されても良い。この実施形態では、低電力副プロセッサ１０２、副メモリ１０４及び／又は副Ｉ／Ｏインターフェース１０８は、周辺副ディスプレイ１１０に関連付けられても良い。
【００３１】
図７を参照すると、ラップトップコンピュータ（１６０−１、１６０−２）及びデスクトップコンピュータ（２００−１、２００−２）に関連付けられた複数の副プロセッサ１０２及び複数の副ディスプレイ１１０は、１つのネットワークにおいてアクセス・ポイント５６を介して無線で、且つ／又は分散型通信システム５８に直接接続されて、動作させられて良い。複数の副プロセッサ１０２及び複数のディスプレイ１１０は、ラップトップコンピュータ（１６０−１、１６０−２）又はデスクトップコンピュータ（２００−１、２００−２）をブートアップすることを必要とせずに、複数のサービスの減少したセットを提供する。
【００３２】
複数の主コンポーネントが非活動状態である時に動作させられる副ディスプレイ及びその他の複数のコンポーネントは、ラップトップに給電するバッテリーにより且つ／又は１つの副バッテリー（図示されていない）を介して給電されてよい。一実施形態では、副バッテリーは活動状態モード時に主バッテリーによって再充電される。
【００３３】
以上の説明から当業者は本発明の広範な複数の教示事項を種々の形で実施し得ることを理解できるであろう。従って、本発明はその具体例との関係で記述されているけれども、図面、明細書及び以下の複数の請求項を検討すれば他の複数の変化形が明らかになるであろうから、本発明の真の範囲はそのように限定されるべきではない。
【図面の簡単な説明】
【００３４】
【図１】従来技術によるラップトップコンピュータ及びデスクトップコンピュータのための１つの典型的なコンピュータ・アーキテクチャの１つの機能ブロック図である。
【図２】従来技術により複数のホットゾーンを通って移動する時の１つのラップトップコンピュータを示す。
【図３Ａ】本発明における、１つの副プロセッサ及び１つの副ディスプレイを有するラップトップコンピュータ及びデスクトップコンピュータのための１つの第１コンピュータ・アーキテクチャの１つの機能ブロック図である。
【図３Ｂ】本発明における１つの副プロセッサおよび１つの副ディスプレイを有するラップトップコンピュータおよびデスクトップコンピュータのための１つの第２コンピュータ・アーキテクチャの１つの機能ブロック図である。
【図３Ｃ】本発明における１つの副プロセッサおよび１つの副ディスプレイを有するラップトップコンピュータおよびデスクトップコンピュータのための１つの第３コンピュータ・アーキテクチャの１つの機能ブロック図である。
【図４Ａ】図３Ａのものと類似していて、本発明における非活動状態モード時に主Ｉ／Ｏインターフェースに給電する１つの第４コンピュータ・アーキテクチャの１つの機能ブロック図である。
【図４Ｂ】図３Ｂのものと類似していて、本発明における非活動状態モード時に主Ｉ／Ｏインターフェースに給電する１つの第５コンピュータ・アーキテクチャの１つの機能ブロック図である。
【図４Ｃ】図３Ｃのものと類似していて、本発明における非活動状態モード時に主Ｉ／Ｏインターフェースに給電する１つの第６コンピュータ・アーキテクチャの１つの機能ブロック図である。
【図５Ａ】本発明における１つの副ディスプレイを含む１つのラップトップコンピュータの１つの透視図である。
【図５Ｂ】本発明における１つの副ディスプレイと１つの副入出力装置とを含む１つのラップトップコンピュータの１つの透視図である。
【図５Ｃ】本発明におけるキーボードに隣接してラップトップの内部に搭載された１つの副ディスプレイを含む１つのラップトップコンピュータの１つの透視図である。
【図６Ａ】本発明における統合された１つの副ディスプレイを含む１つのデスクトップコンピュータの１つの正面図である。
【図６Ｂ】本発明における１つの周辺副ディスプレイを含む１つのデスクトップコンピュータの１つの正面図である。
【図７】１つの分散型通信システム及び１つのサーバーに直接に且つ／又は無線で接続された複数の副ディスプレイを有するラップトップコンピュータ及びデスクトップコンピュータを示す。
【図１】
2005228327.tif 000003
【図２】
2005228327.tif 000004
【図３Ａ】
2005228327.tif 000005
【図３Ｂ】
2005228327.tif 000006
【図３Ｃ】
2005228327.tif 000007
【図４Ａ】
2005228327.tif 000008
【図４Ｂ】
2005228327.tif 000009
【図４Ｃ】
2005228327.tif 000010
【図５Ａ】
2005228327.tif 000011
【図５Ｂ】
2005228327.tif 000012
【図５Ｃ】
2005228327.tif 000013
【図６Ａ】
2005228327.tif 000014
【図６Ｂ】
2005228327.tif 000015
【図７】
2005228327.tif 000016